(57)【特許請求の範囲】
【請求項１】
軸筒の後方内面に複数のカム溝を形成し、そのカム溝に回転子を摺動・回転自在に配置すると共に、その回転子を押圧・回転すべく摺動子を配置してなる出没式筆記具において、前記回転子の前方にシャープペンシルの外軸が当接する当接部を形成すると共に、その外軸内に芯タンクを配置し、その芯タンクを押圧すべく押圧手段を前記回転子の長手方向に形成した貫通孔を介して前記摺動子の後方延設部の内部に位置させると共に、前記摺動子の後部に押圧部材を位置させたことを特徴とする出没式筆記具。
【発明の詳細な説明】
【０００１】
【発明の属する技術分野】
本発明は、軸筒の後方内面に複数のカム溝を形成し、そのカム溝に回転子を摺動・回転自在に配置すると共に、その回転子を押圧・回転すべく摺動子を配置してなる出没式筆記具に関する。
【０００２】
【従来の技術】
軸筒の後方内面に複数のカム溝を形成し、そのカム溝に回転子を摺動・回転自在に配置すると共に、その回転子を押圧・回転すべく摺動子を配置してなる出没式筆記具の１例として、特公昭３４−７１８１号公報が知られている。押ボタン３０を押圧することによって、回転突出歯車４０を押圧・回転せしめ、カ−トリッジユニット（ボ−ルペン）２０を押圧前進させ、下部ケ−シング１１の先端から突出させるものである。
【０００３】
【本発明が解決しようとする課題】
近年においては、ボ−ルペンとシャ−プペンシルとの軸を共通化した、所謂、ペア製品の要望が高まり、脚光を浴びるようになってきた。また、企業内においても、ボ−ルペン専用の軸と、シャ−プペンシル専用の軸とを製作するよりは、共通の軸を製作することにより製作費を低減し、安価な製品を市場に投入するようになってきた。
そして、使用の際には、押圧操作により、ボ−ルペンやシャ−プペンシルの先端を軸の先端から突出させる出没式筆記具もその１例である。
しかし、上記従来技術にあっては、ボ−ルペン専用の出没機構としているため、シャ−プペンシルを挿着する場合には、芯の繰り出しを行う機構を作動させる手段が必要となり、別の出没機構としなければならず、製品の価格を高くしてしまうものであった。
【０００４】
【課題を解決するための手段】
本発明は、上記問題点に鑑みてなされたものであり、軸筒の後方内面に複数のカム溝を形成し、そのカム溝に回転子を摺動・回転自在に配置すると共に、その回転子を押圧・回転すべく摺動子を配置してなる出没式筆記具において、前記回転子の前方にシャープペンシルの外軸が当接する当接部を形成すると共に、その外軸内に芯タンクを配置し、その芯タンクを押圧すべく押圧手段を前記回転子の長手方向に形成した貫通孔を介して前記摺動子の後方延設部の内部に位置させると共に、前記摺動子の後部に押圧部材を位置させたことを要旨とするものである。
【０００５】
【実施例】
最初に、図１、図２に従来の参考例を示す。軸筒１に筆記体であるボ−ルペン２を出没可能に配置した例である。軸筒１は、軸本体３と先部材４とより構成されており、その軸本体３と先部材４とは螺着により着脱自在に固定されている。インキ消耗場合にボ−ルペン２の交換をできるようにしたのである。また、前記軸本体２の中間部の外周には、ゴムグリップ５が固定筒６を介して取り付けられている。尚、その固定筒６は、前記軸本体２に螺着されており、一定区間内移動可能になっている。つまり、好みに応じてゴムグリップ５の位置を可変することができる。
また、前記ボ−ルペン２の中間部には、突部２ａが形成されており、その突部２ａと軸筒１の前方内面との間には、ボ−ルペン２を後方に付勢し、常時はそのボ−ルペン２を軸筒１内に没入させるノックスプリング７が張設されている。
【０００６】
一方、前記軸本体３の後方内面には、カム筒８が圧入固定されており、そのカム筒８の内面には、図中縦方向に、放射状に複数の突部９が形成されている。また、その突部９の前端面は、傾斜面となっている。従来技術の第４図に示されているような突部（突出部３３）である。前記カム筒８には、回転子１０が嵌まり込んでいる。その回転子１０の外周面にも、突部１１が形成されており、その突部１１の後端面にも傾斜面が形成されている。そして、その回転子１０の突部１１が、前記カム筒８に形成されている突部９の傾斜面に係合したり、突部９と隣合う突部９とで形成される溝部に嵌まり込んだりする。突部１１が突部９に係合しているときは、回転子１０が前進状態にあり、突部１１が溝部に嵌まり込んでいるときには、回転子１０が後退状態にある。つまり、ボ−ルペン２の軸筒１先端からの突出状態と没入状態である。
また、前記回転子１０の前端部には、前記ボ−ルペン２の後端が当接する当接部１０ａが形成されており、長手方向には、貫通孔１２が形成されている。その貫通孔１２は、後述するシャ−プペンシルを挿着したときに、芯の繰り出し操作を行う操作杆が挿入される孔である。
【０００７】
前記回転子１０の後方には、摺動子１３が軸筒１に対して前後動可能に配置されている。その摺動子１３の外周にも突部１４が形成されており、その突部１４の前端面も傾斜面となっている。符号１５は、摺動子１３の後部に圧入された押圧部材である。そして、この押圧部材１５を押圧すると、摺動子１３の突部１４が回転子１０の突部１１を押圧すると共に、回転子１０を回転させる。こうして、ボ−ルペン２が軸筒１の先端より突出したり（図２参照）、没入したりする。
尚、摺動子１３の突部１４後端は、前記カム筒８の後方に形成された小径部１６に係止しており、軸筒１後端からの飛び出し（脱落）が防止されている。
以上が、軸筒１にボ−ルペン２を出没可能に配置した例である。
【０００８】
次に、本発明である、軸筒１にシャ−プペンシル１７を配置した例を図３、図４に示し説明する。前記軸筒１の後方に圧入されたカム筒８に摺動・回転自在に配置された回転子１０の当接部１０ａには、シャ−プペンシル１７の外軸１８後端が当接している。そして、その外軸１７内に配置され後方が突出したノック棒１９は、前記回転子１０の貫通孔１２を貫通し摺動子１３に係止している。
ここで、前記ボ−ルペン２を配置したときと同様に、押圧部材１５を押圧すると、摺動子１３が前進し、その前進に伴って、前記回転子１０も前進・回転する。そして、その回転子１０の前進・回転によってシャ−プペンシル１７の外軸１８が押圧され、軸筒１の先端から突出する（図４参照）。この時、前記回転子１０は、カム筒８との係合によって前進せしめられ、その位置で係止しているが、前記摺動子１３は、自由に前後動可能となっている。その移動範囲が、芯を繰り出すノックストロ−ク２０となる。尚、前記ノック棒１９は、後に詳述するシャ−プペンシル１７の１部の機構であるチャックスプリングによって後方に付勢されているため、摺動子１３並びに、押圧部材１５も後方に付勢されている。
こうして、回転子１０に貫通孔１２を形成することによって、軸筒１に配置する筆記体をボ−ルペンにすることもシャ−プペンシルにすることもできる。
【０００９】
次に前記シャ−プペンシル１７について説明する（図５参照）。樹脂製や、好ましくは金属製のパイプなどからなる外軸１８の先端には、中継ぎ部材２１を介して先部材２２が圧入などにより固定されている。そして、これら、外軸１８並びに中継ぎ部材２１、先部材２２の内側には、鉛芯繰り出し機構２３が摺動自在に配置されている。その鉛芯繰り出し機構２３は、ポリエチレンやポリプロピレンなどの樹脂パイプからなる芯タンク２４とその芯タンク２４の前方に連結部材２５を介して固定されたチャック体２６並びに、そのチャック体２６の開閉を行なうチャックリング２７と、前記チャック体２６を常に後方に付勢するチャックスプリング２８などから構成されている。符号２９は、繰り出し時における芯の後退を防止する芯戻り止め部材である。
【００１０】
また、前記芯タンク２４の後端には、前記ノック棒１９の前端大径部１９ａが着脱自在圧入されている。このノック棒１９によって、芯タンク２４を押圧・前進せしめ、芯を繰り出すのである。
尚、本例においては、中継ぎ部材２１を外軸１８の前端の外側に圧入しているが、この部分から脱着し、芯の補充の容易性などを考慮すると、中継ぎ部材２１のチャックスプリング２８より後方を長く延設し、外軸１８の前端の内側に圧入するようにしても良い。
【００１１】
次に、芯を繰り出す操作について説明する。シャ−プペンシル１７を軸筒１から突出させた状態で、押圧部材１５を押圧する。この押圧操作により、ノック棒１９の大径部１９ａが芯タンク２４の後端を押圧する。この押圧動作により、チャック体２６がチャックスプリング２８の弾撥力に抗して前進する。そして、チャック体２６の前進に伴い芯が前進せしめられ先部材２２から繰り出される。
【００１２】
尚、本例のシャ−プペンシル１７においては、軸筒１に没入時、相対的に芯タンク２４が押圧され、チャック体２６が拡開状態にある。没入時においては、芯が常に収納されるようにしたのである（図６参照）。
【００１３】
【発明の効果】
本発明は、軸筒の後方内面に複数のカム溝を形成し、そのカム溝に回転子を摺動・回転自在に配置すると共に、その回転子を押圧・回転すべく摺動子を配置してなる出没式筆記具において、前記回転子の前方にシャープペンシルの外軸が当接する当接部を形成すると共に、その外軸内に芯タンクを配置し、その芯タンクを押圧すべく押圧手段を前記回転子の長手方向に形成した貫通孔を介して前記摺動子の後方延設部の内部に位置させると共に、前記摺動子の後部に押圧部材を位置させたことを要旨としたので、ボ−ルペンやシャ−プペンシルの軸筒、並びに、出没機構を共通化することができ、ペア製品を安価に提供することができる。
【図面の簡単な説明】
【図１】  従来の参考例を示す縦断面図（ボ−ルペン没入時）。
【図２】  従来の参考例を示す縦断面図（ボ−ルペン突出時）。
【図３】  本発明を示す縦断面図（シャ−プペンシル没入時）。
【図４】  本発明を示す縦断面図（シャ−プペンシル突出時）。
【図５】  シャ−プペンシルを示す縦断面図。
【図６】  没入時のシャ−プペンシルを示す縦断面図。
【符号の説明】
１      軸筒
２      ボ−ルペン
２ａ    突部
３      軸本体
４      先部材
５      ゴムグリップ
６      固定筒
７      ノックスプリング
８      カム筒
９      突部
１０    回転子
１０ａ  当接部
１１    突部
１２    貫通孔
１３    摺動子
１４    突部
１５    押圧部材
１６    小径部
１７    シャ−プペンシル
１８    外軸
１９    ノック棒
２０    ノックストロ−ク
２１    中継ぎ部材
２２    先部材
２３    鉛芯繰り出し機構
２４    芯タンク
２５    連結部材
２６    チャック体
２７    チャックリング
２８    チャックスプリング
２９    芯戻り止め部材
【図１】
0003870460.tif 000002
【図２】
0003870460.tif 000003
【図３】
0003870460.tif 000004
【図４】
0003870460.tif 000005
【図５】
0003870460.tif 000006
【図６】
0003870460.tif 000007